(57)【要約】【課題】インターネットカフェなどにおける複数のコンピュータ使用料の管理、積算を容易にするワイヤレスアクセスレジスタを提供する。【解決手段】レジスタ２はHUB及びパスワード発生器、メータを備え、該レジスタ２内部には回路板を設けて該パスワード発生器及びメータと電気的に接続し、該レジスタ２外部にはディスプレイ２２とプリンタ２３及び入力キーボード２４を設け、該HUBを該レジスタ２内に搭載すると共に、アンテナ３３と少なくとも一つ以上のWANマウス３１及びLANマウスを設け、該パスワード発生器により提供されるパスワードにより使用者がネットワークを利用した時間などに基づき該メータによって費用を計算し、該ディスプレイ２２にデータを表示したものを該プリンタ２３によってプリントアウトする。【選択図】        図４
0003102280.tif 000002
【実用新案登録請求の範囲】
【請求項１】
レジスタ、HUB、パスワード発生器、メータ、とより構成されるワイヤレスアクセスレジスタであって、
内部に回路板が設けられており、外部にはディスプレイ及びプリンタ並びに入力キーボードが設けられている該レジスタと、
該レジスタ内部に搭載されており、アンテナ及び少なくとも一つ以上のWAN（wide area network）マウス及びLAN（local area network）マウスを具有する該HUBと、
該レジスタ内部に設けられており、該回路板と電気的に接続されている該パスワード発生器と、
該レジスタ内部に設けられており、且つ該回路板と電気的に接続されている該メータと、
を具有し、該レジスタ内のパスワード発生器により提供されたパスワードを使用することで使用者がネットワークにアクセスし、使用料金を該メータにより計算を行ったものを該ディスプレイで表示すると共に該プリンタによって明細をプリントアウトするようにしてなることを特徴とするワイヤレスアクセスレジスタ。
【請求項２】
該パスワード発生器及びメータは、独立したものであって外付けされる機器であることを特徴とする請求項１記載のワイヤレスアクセスレジスタ。
【請求項３】
該パスワード発生器及びメータは該回路板内に設けられてなることを特徴とする請求項１記載のワイヤレスアクセスレジスタ。
【請求項４】
該入力キーボードには複数のデータ入力キー及び少なくとも一つ以上の機能キーが設けられていることを特徴とする請求項１記載のワイヤレスアクセスレジスタ。
【請求項５】
該レジスタには更に無線マウスが設けられており、ワイヤレスネットワークカードを挿入する個所が提供されていることを特徴とする請求項１記載のワイヤレスアクセスレジスタ。
【請求項６】
該レジスタにはコンピュータの周辺設備と連結されるべく、少なくとも一つ以上の連結ポートが設けられていることを特徴とする請求項１記載のワイヤレスアクセスレジスタ。
【請求項７】
該WAN（wide area network）マウスは二つ設けられていることを特徴とする請求項１記載のワイヤレスアクセスレジスタ。
【考案の詳細な説明】
【技術分野】
【０００１】
本考案はワイヤレスアクセスレジスタに係り、特にWAN（wide area network）とLAN（local area network）が連結されることで、ワイヤレス方式でネットワーク内のコンピュータがアクセスした時間及び消費した金額を伝送並びに計算すると同時に、ディスプレイ及びプリンタが併設されることで、主に一般のコーヒーショップやインターネットカフェ、レストランやホテルなどの商業を目的とした利用に便利なワイヤレスアクセスレジスタに関わる。
【背景技術】
【０００２】
近年ではインターネットの発展に伴い、商品の売買やデータの検索、ネットワークを利用したチャットやゲームなどの娯楽が盛んになっており、特にインターネットカフェでは使用者の様々なニーズに応えており、利便性が高いため、商業上非常に利用価値のあるシステムとなっており、業者は様々なシステムの開発を進めている。このようなシステムを導入するためには、当初は複雑な伝送用のワイヤを組まなければならなかったのに対し、現在ではワイヤレスタイプが普及する時代となった。
例えば図７に示すように、インターネットカフェを例に挙げると、利用者がワイヤレスネットワークカードを具えたコンピュータａを使用してネットワークにアクセスする際は、アクセスポイント（Access Point：AP）ｂによってワイヤレス方式により各コンピュータａに連結することで、インターネットにアクセスできるようになっている。利用者がネットワークの利用を開始してからコンピュータの電源を切るまで、ネットワークを使用した時間及び料金がISP（internet service provider）によって計算され、これが経営者に提供されると同時にディスプレイに表示されると同時にプリンタでプリントアウトされ、該経営者がISPの提供したデータによって勘定を行うことができるようになっている。
【考案の開示】
【考案が解決しようとする課題】
【０００３】
しかし上述のようなISPを利用したシステムでは、以下のような欠点がある。
それは利用者がネットワークにアクセスした時間及び消費金額は、ISPを通して計算された後に経営者に届くことであり、該システムを設けるためには多額のコストがかかる他、ISP利用サービス費用額の負担もあり、規模の小さい商店にまで普及しにくい原因を生み出している。更に該システムを利用するべく、経営者は別途に管理用のコンピュータやディスプレイ、レジスタを準備しなければならず、ここでも費用がかさむといった問題がある。
以上の理由に鑑み、使用に係るコストを抑えつつ、且つ消費金額を管理する上での便利性を高めるべく本考案のワイヤレスアクセスレジスタを提供する。
【課題を解決するための手段】
【０００４】
レジスタとHUB及びパスワード発生器、メータを含み、該レジスタ内部には回路板を設けて該パスワード発生器及びメータと電気的に接続し、該レジスタ外部にはディスプレイとプリンタ及び入力キーボードを設け、該HUBを該レジスタ内に搭載するが、これにはアンテナと少なくとも一つ以上のWANマウス及びLANマウスを設け、該パスワード発生器により提供されるパスワードにより使用者がネットワークを利用した時間などに基づき該メータによって費用を計算し、該ディスプレイにデータを顕示したものを該プリンタによってプリントアウトする。
【考案の効果】
【０００５】
本考案によると、レジスタにディスプレイとプリンタの機能が一体となり、同時にWANやLANと連結されることから、複数のコンピュータを同時に管理できるようになり、装置上にかかるコスト及びスペースを削減することに成功したと同時に、利用者の持つワイヤレスブロードバンドを具有する設備とワイヤレスで連結でき、アクセスした時間などにより消費金額として計算されたものをレジスタ上のキーボードで操作することから、従来のISPに頼らないことでもコストが削減でき、またワイヤレスによる伝送が行えることで異なる使用目的に応じて調整が利き、商業上での利用に非常に便利である目的も達成された。
【考案を実施するための最良の形態】
【０００６】
図１から図３に示すように、本考案のワイヤレスアクセスレジスタ１は、レジスタ２とＨＵＢ３とパスワード発生器４及びメータ５から構成される。
【０００７】
該レジスタ２の片側には無線マウス２１が設けられており、ワイヤレスネットワークカードＰ４を挿入する個所が提供されている。また該レジスタ２内部には回路板８が設けられており、該レジスタ２外部上方には液晶ディスプレイ２２とプリンタ２３及び入力キーボード２４が設けられており、該入力キーボード２４においては複数のデータ入力キー２４１及び少なくとも一つ以上の機能キー２４２が設けられている。また該レジスタ２には少なくとも一つ以上の連結ポート２４３を設け、コンピュータ周辺設備と連結できるようにしてもよい。
【０００８】
該ＨＵＢは、該レジスタ２内部に設けられ、少なくとも一つのＷＡＮ（wide area network）マウス３１及びLAN（local area network）マウス３２、並びにアンテナ３３が設けられている。該アンテナ３３は、実施例中では該レジスタ２上に固定されているが、使用時には該アンテナ３３を該レジスタ２と個別にし、異なる使用場所に応じて該アンテナ３３の位置を変えるものとしてもよい。
【０００９】
パスワード発生器４及びメータ５は、該レジスタ２内部に設けられており、該回路板８と電気的に接続されているものとする。該パスワード発生器４及び該メータ５は独立して設けられたハードとして構成されている、或いは該回路板８内にワイヤレスネットワークカードP４として構成されているものとする。
【００１０】
図４，５に示すように、本考案における第一実施例においては、店頭に買い物をしようとする客が入ると同時に、店の経営者が先ず利用者の座席や使用するコンピュータ別に該レジスタ２上のデータ入力キー２４１により入力し、該パスワード発生器４によってパスワード（乱数）を提供し、これを該プリンタ２３によって利用者にプリントアウトして渡す。利用者は手にしたパスワードにより、経営者の提供するコンピュータ９或いは自ら準備したワイヤレスブロードバンド伝送機能を備える設備（例えばノートブック型パソコン９１やゲーム機器等）上に適用する。利用者が該コンピュータをオンにしてパスワードを入力すると同時にネットワークにアクセスを開始し、該メータ５によって使用時間が計算される。利用者がネットワークの使用を終えると、経営者は該メータ５によって自動で該コンピュータ９の使用者が払うべき合計金額を計算し出し、支払い時には該ディスプレイ２２によって表示されるとともに、これを該プリンタ２３によってプリントアウトし、該プリンタ２３によって打ち出された明細を利用者に手渡す。また、利用者が支払うべき金額は、経営者が該入力キーボード２４の機能キー２４２によって異なる設定（例えばレンタル制や時間制など）を選択及び入力することで制御される。こうすることで、基本消費金額が異なる業種によっても調整できて使用に便利となる。
【００１１】
図６に示すように、本考案における第二実施例では、同時に多数のコンピュータ９を制御する際において、本考案に設けた該LANマウス３２でLANに接続し、アクセスポイント（AP）９２によって各該コンピュータ９にワイヤレスでアクセスし、各該コンピュータ９のアクセス状態を管理する。
【図面の簡単な説明】
【００１２】
【図１】本考案における立体外観図である。
【図２】本考案における各主要な部位の連結を示す図である。
【図３】本考案における主要な部位の回路ブロックチャートである。
【図４】本考案の第一実施例を示す図である。
【図５】本考案の使用時におけるフローチャートである。
【図６】本考案の第二実施例を示す図である。
【図７】インターネットカフェにおける公知のワイヤレスによるネットワークアクセス配置を示す図である。
【符号の説明】
【００１３】
ａ  コンピュータ
ｂ  アクセスポイント
１  ワイヤレスアクセスレジスタ
２  レジスタ
２１  ワイヤレスマウス
２２  ディスプレイ
２３  プリンタ
２４  入力キーボード
２４１  データ入力キー
２４２  機能キー
２４３  連結ポート
３  ＨＵＢ
３１  ＷＡＮマウス
３２  ＬＡＮマウス
３３  アンテナ
４  パスワード発生器
５  メータ
８  回路板
９  コンピュータ
９１  ノートブック型パソコン
９２  アクセスポイント
【図１】
0003102280.tif 000003
【図２】
0003102280.tif 000004
【図３】
0003102280.tif 000005
【図４】
0003102280.tif 000006
【図５】
0003102280.tif 000007
【図６】
0003102280.tif 000008
【図７】
0003102280.tif 000009